(57)【要約】【課題】  容易に取り外せないように身体に装着できるとともに、無理に取り外そうとした場合等には、上記位置情報に加えて異常情報を発信することができる緊急情報発信装置を提供する。【解決手段】  身体の適部に巻回装着されるとともにアンテナを設けた環状体１と、上記環状体の上記身体からの離脱を許容する鍵手段と、上記環状体２が、上記鍵手段を解除することなく身体から離脱させられたとき、異常離脱信号を発生する異常離脱信号発生手段１５と、位置情報を検出する位置情報検出手段１６と、上記アンテナ２４を介して情報を無線受信できる受信手段１７と、上記アンテナを介して情報を無線送信できる送信手段１８と、上記異常離脱信号発生手段、上記位置情報検出手段、上記受信手段及び上記送信手段を制御する制御手段１９と、上記各手段に電力を供給する電源１４とを備えて構成される。【選択図】  図６
2006268434.tif 000002
【特許請求の範囲】
【請求項１】
身体の適部に巻回装着されるとともにアンテナを設けた環状体と、
上記環状体の身体からの離脱を許容する鍵手段と、
上記環状体が、上記鍵手段を解除することなく身体から離脱させられたとき、異常離脱信号を発生する異常離脱信号発生手段と、
位置情報を検出する位置情報検出手段と、
上記アンテナを介して、情報を無線受信できる受信手段と、
上記アンテナを介して、情報を無線送信できる送信手段と、
上記異常離脱信号発生手段、上記位置情報検出手段、上記受信手段及び上記送信手段を制御する制御手段と、
上記各手段に電力を供給する電源とを備え、
上記各手段及び電源を上記環状体内に収容して構成される、緊急情報発信装置。
【請求項２】
上記環状体に設けられて身体情報を検出する身体センサーと、
上記身体センサーによって検出された身体情報に異常があったとき、身体異常情報を発生する身体異常情報発生手段とを備える、請求項１に記載の緊急情報発信装置。
【請求項３】
上記異常離脱信号発生手段は、上記鍵手段が破壊された場合、又は上記環状体の一部が切断された場合に、上記異常離脱信号を発生するように構成されている、請求項１又は請求項２のいずれかに記載の緊急情報発信装置。
【請求項４】
上記鍵手段は、上記受信手段を介して受信される解除信号により解除される、請求項１から請求項３のいずれかに記載の緊急情報発信装置。
【請求項５】
上記環状体の一部又は全部をチタン合金から形成した、請求項１から請求項４のいずれかに記載の緊急情報発信装置。
【請求項６】
上記環状体を構成する基材の表面又は内部に、アンテナパターンを形成して上記アンテナを構成した、請求項１から請求項５のいずれかに記載の緊急情報発信装置。
【請求項７】
上記環状体の表面に、太陽電池を設けた請求項１から請求項６のいずれかに記載の緊急情報発信装置。
【請求項８】
環状体の表面に情報表示手段を設けた、請求項１から請求項７のいずれかに記載の緊急情報発信装置。
【請求項９】
上記環状体がブレスレットを構成する、請求項１から請求項８のいずれかに記載の緊急情報発信装置。
【請求項１０】
アンテナ及び位置情報検出手段を備える環状体を、身体に鍵手段を介して装着する一方、
上記鍵手段を解除することなく上記環状体が身体から離脱させられたとき、緊急情報及び位置情報を、上記アンテナを介して無線送信する、緊急情報発信方法。
【請求項１１】
上記環状体に設けた身体センサーによって身体情報を検出するとともに、検出された身体情報に異常があった場合に、位置情報及び身体異常情報を無線送信する、請求項１０に記載の緊急情報発信方法。
【請求項１２】
上記鍵手段は、上記アンテナを介して入力される解除信号によって解除される、請求項１０又は請求項１１のいずれかに記載の緊急情報発信方法。
【発明の詳細な説明】
【技術分野】
【０００１】
本願発明は、容易に取り外すことができないように身体に装着できるとともに、位置情報を発信させ、使用者の位置を特定できる緊急情報発信装置に関する。詳しくは、無理に取り外すと位置情報とともに緊急情報を発信させて、誘拐や事故を未然に防止することができる緊急情報発信装置に関する。
【背景技術】
【０００２】
たとえば、子供等に持たせて、必要に応じて位置情報等を取得できる小型携帯帯末装置が提供されている。
【０００３】
【特許文献１】特開２００３−７８５９０号
【０００４】
上記公報に記載されている小型携帯端末装置は、電話システムを利用して外部からの電話通信に対して応答できるとともに、あらかじめ設定された電話番号に対する情報発信機能を備えて構成されている。また、電話通信による外部からの要求に応じて、端末の現在位置情報を知らせることができるようにも構成されている。上記構成を採用することにより、保護者等が手軽に購入して子供等に持たせ、必要に応じて子供等の状況を確認することが可能となる。
【発明の開示】
【発明が解決しようとする課題】
【０００５】
上記公報に記載されている従来の小型携帯端末装置は、キーホルダ状や腕時計状に形成されており、一般的な携帯電話装置より小型化されている。ところが、上記小型携帯端末装置は、身体に対して容易に着脱できるように構成されている。このため、置き忘れたり、落としたりする可能性が高い。
【０００６】
また、子供が誘拐等された場合や事故にあった場合は、身体から取り外される可能性が高い。したがって、非常の場合等に、有効な位置情報等を発信できない恐れもある。特に、キーホルダ状のものは、カバン等に装着するものであるため、必ずしも携帯端末装置の持ち主の位置情報を発信するものでないことは明らかである。
【０００７】
本願発明は、上述の問題を解決するために案出されたものであって、容易に取り外せないように身体に装着できるとともに、無理に取り外そうとした場合等には、上記位置情報に加えて異常情報を発信することができる緊急情報発信装置を提供するものである。
【課題を解決するための手段】
【０００８】
本願の請求項１に記載した発明は、身体の適部に巻回装着されるとともにアンテナを設けた環状体と、上記環状体の上記身体からの離脱を許容する鍵手段と、上記環状体が、上記鍵手段を解除することなく身体から離脱させられたとき、異常離脱信号を発生する異常離脱信号発生手段と、位置情報を検出する位置情報検出手段と、上記アンテナを介して情報を無線受信できる受信手段と、上記アンテナを介して情報を無線送信できる送信手段と、上記異常離脱信号発生手段、上記位置情報検出手段、上記受信手段及び上記送信手段を制御する制御手段と、上記各手段に電力を供給する電源とを備える緊急情報発信装置に関するものである。
【０００９】
本願発明に係る緊急情報発信装置は、全体が環状に形成されており、身体の適部に巻回して装着できるように構成されている。具体的には、首、手首、足首等の身体の凹部に対して、容易に取り外すことができないように装着される。すなわち、チョーカー、アンクレット、ブレスレット等の形態を採用するのが好ましい。
【００１０】
上記環状体は、上記鍵手段を解除することにより身体からの離脱が許容される。すなわち、非常の場合以外は、装着者の意思によって取り外せないように構成するのが好ましい。なお、安全性を向上させるため、通常作用する力以上の力が作用した場合等には、身体からの離脱が許容されるように構成することができる。たとえば、子供用の緊急情報発信装置の場合、子供が発揮し得る力以上の力が作用した場合、上記環状体が所定の部位で切断されるとともに、異常離脱信号を発生するように構成することができる。上記鍵手段として種々の構成を採用することができる。
【００１１】
上記鍵手段は、たとえば、環状体の一部が離間可能に連結されているとともに、環状体に設けた鍵穴に鍵を挿入回転させることにより、上記連結を解除できるように構成することができる。また、請求項４に記載した発明のように、保護者等が通信回線を介して解除信号を送信し、これを上記受信手段を介して受信することにより、上記鍵手段が解除されるように構成することができる。
【００１２】
本願発明においては、上記鍵手段を解除することなく、上記環状体が身体から離脱させられたとき、異常離脱信号を発生する異常離脱信号発生手段を設ける。すなわち、上記鍵手段以外の手段によって、上記環状体が身体から無理やり外された場合や破壊された場合に、装着者に異常が発生したと認識するのである。上記異常離脱信号発生手段として種々の手法を採用することができる。
【００１３】
たとえば、請求項３に記載した発明のように、上記鍵が破壊された場合や環状体の一部が切断された場合に、上記異常離脱信号を発生するように構成することができる。具体的には、環状体に所定の電圧を印加し、あるいは微弱電流を通電しておき、環状体の切断によって上記電圧や電流が変化するのを検出して、上記異常離脱信号を発生するように構成することができる。また、身体の温度や脈拍を計測できるように構成しておき、温度や脈拍の変化によって異常離脱信号を発生させることもできる。
【００１４】
上記位置情報検出手段として、たとえば、ＧＰＳ（グローバル・ポジショニング・システム）や、携帯電話等に利用されるＰＨＳ（パーソナル・ハンディホン・システム）を採用することができる。
【００１５】
ＧＰＳは、ＧＰＳ衛星からから取得した位置情報と移動体通信網を利用して、端末がどこにあるかを測位するものである。一方、ＰＨＳは、基地局の識別情報とＰＨＳ端末自身が受信した基地局からの電波の強さを基に、基地局から半径何メートルの範囲に対象端末があるかを側位するものである。本願発明では上記アンテナと上記受信手段を介して上記位置情報を取得する。
【００１６】
上記環状体をアンテナとして機能させるための手法は特に限定されることはない。また、必要に応じて、環状体の一部又は全部をアンテナとして機能させることができる。たとえば、環状体を複数の要素を連結して構成し、少なくとも一つの要素の内部に、携帯電話等に採用されている小型アンテナを収容することができる。また、上記環状体の全体をアンテナとして利用することにより、環状体を一種のループアンテナとして機能させることが可能となり、位置情報を精度高く取得することができる。
【００１７】
請求項５に記載した発明のように、上記環状体の一部又は全部をチタン合金から形成するのが好ましい。チタン合金から環状体を形成することにより、身体に直接装着した場合にもアレルギーが生じることが少なく、また、電位作用によって健康増進を図ることもできる。したがって、高齢者にも適用可能な緊急情報発信装置を構成できる。なお、環状体を複数の要素から構成する場合には、できるだけ多くの要素をチタン合金から形成するのが望ましい。また、環状体をセラミック等で形成して、表面にチタン合金をコーティングしてもよい。さらに、上記チタン合金の特性を利用して上記アンテナを構成することができる。
【００１８】
請求項６に記載した発明のように、上記環状体を構成する基材の表面又は内部にアンテナパターンを形成してアンテナ機能を付与することができる。たとえば、セラミックから上記環状体を形成するとともに、環状体の表面にアンテナとして機能しうる金属材料等を所定のパターンでコーティングして、アンテナを構成することができる。アンテナパターンを像眼のように環状体の表面に設けることにより、デザイン的にも優れたものを形成することが可能となり、一見しただけではブレスレット等の装飾品と認識される緊急情報発信装置を構成することができる。上記基材としては、小型アンテナ基板として利用されるセラミック基板材料等を採用することができる。また、樹脂材料で環状体を形成し、内部にアンテナを埋め込み形成することができる。
【００１９】
上記アンテナを介して情報を無線受信できる受信手段と情報を無線送信できる送信手段とを設ける。上記受信手段及び上記送信手段の構成は特に限定されることはない。上記受信手段は、位置情報システムから位置情報を取得できるとともに、通信網を介した出力要求を受信できるように構成される。一方、上記送信手段は、上記位置情報等を無線通信網に発信できるように構成される。受信・送信手段やアンテナの種類は、採用する位置情報システムや通信システム等によって選択することができる。なお、上記受信手段及び送信手段は、既知の電子回路等を用いて構成することができる。
【００２０】
本願発明では、上記異常離脱信号発生手段、上記位置情報検出手段、上記受信手段及び上記送受信手段を制御する制御手段を設ける。上記制御手段を、マイクロコンピュータを備えて構成し、各手段の作動を制御して、緊急情報、位置情報等を取得し、緊急情報発信の可否を判定して、緊急情報を発信できるように構成するのが好ましい。また、外部から送信される情報要求信号対して位置情報等を送信できるように構成するのが好ましい。たとえば、携帯電話通信網あるいはインターネット等を介して、外部から位置情報を取得できるように構成するのが好ましい。
【００２１】
上記各手段及び上記制御装置を作動させるために、上記各手段に電力を供給する電源が設けられる。上記電源の構成も特に限定されることはなく、ボタン電池等の小型電池を採用することかできる。また、請求項７に記載した発明のように、環状体の表面に太陽電池を設けることもできる。
【００２２】
本願の請求項２に記載した発明は、身体情報を検出する身体センサーと、上記身体センサーによって検出された身体情報に異常があったとき、身体異常情報を発生させる身体異常情報発生手段とを備えて構成したものである。
【００２３】
たとえば、脈拍、血圧、体温等を計測できるセンサーを環状体の身体接触面に設けて身体情報を収集し、上記身体情報に異常があった場合に、身体異常情報を発生させるように構成することができる。また、ブレスレット等のように、身体に直接装着される環状体においては、上記身体情報が出力されない場合は、環状体が身体から離脱させられたものと判断して、異常離脱信号を発生するように構成することもできる。
【００２４】
本願の請求項８に記載した発明は、環状体の表面に情報表示手段を設けたものである。表示される情報は特に限定されることはなく、受信された位置情報や身体センサーによって検出した身体情報等や時刻等を表示できる。
【００２５】
本願の請求項９に記載した発明は、上記環状体がブレスレットを構成するものである。ブレスレットは手首に装着されるものであり、離脱できないように構成することも容易である。また、ブレスレットの大部分をチタン合金で形成して健康器具として用いることもできる。
【００２６】
本願の請求項１０に記載した発明は、アンテナ及び位置情報検出手段を備える環状体を、身体に鍵手段を介して装着する一方、上記鍵手段を解除することなく上記環状体が身体から離脱させられたとき、緊急情報及び位置情報を、上記アンテナを用いて無線送信するものである。
【００２７】
本願の請求項１１に記載した発明は、身体センサーによって身体情報を検出するとともに、検出された身体情報に異常があった場合に、位置情報及び身体異常情報を無線送信する緊急情報発信方法に係るものである。また、本願の請求項１２に記載した発明は、上記鍵手段を、上記アンテナを介して入力される解除信号によって解除されるように構成したものである。
【発明を実施するための最良の形態】
【００２８】
以下、本願発明の実施形態を図に基づいて説明する。
【００２９】
図１に、本願発明に係る緊急情報発信装置の外観を示す。本実施の形態は、本願発明を手首に装着されるブレスレット１に適用したものである。
【００３０】
上記ブレスレット１は、円弧状をした６つの要素２ａ，２ｂ，２ｃ，２ｄ，２ｅ，２ｆから構成されている。図２に示すように、上記要素２ａ，２ｂ，２ｃ，２ｄ，２ｅ，２ｆの各端部には、連結部３ａ，３ｂ，３ｃ，３ｄ，３ｅ，３ｆが設けられており、対向する端部を雄雌嵌合させてピン４を連通挿させることにより、隣接する各要素が回動自在に連結されている。
【００３１】
図３に示すように、上記連結部のうちの１箇所に、上記環状体２を切断して拡開できる着脱機構５が設けられている。上記着脱機構５は、一方の要素２ａの端部にピン４によって回動自在に保持された雄部材６と、他方の要素２ｆの端部に埋め込み状に設けられた雌部材７とを備えて構成されている。上記雄部材６の先端部はやじり状に形成される一方、上記雌部材７は、上記雄部材６の先端部を挟持できる一対の係合片９，９を備えて構成されている。上記係合片９，９は、図示しない弾力付勢手段によって互いに近接するように付勢されており、上記雄部材６を上記要素２ｆの端部に設けた開口部１０から突入させて上記雌部材７と嵌合させることにより、上記要素２ａと上記要素２ｆとが離脱不可能に連結される。
【００３２】
本実施の形態では、上記雌部材７は、上記要素２ｆの内部に設けた鍵箱１１から上記開口部１０に向けて延出させられており、上記鍵箱１１の鍵穴１１ａから図示しない鍵を挿入して回転させることにより、上記一対の係合片９，９を離間させて、上記雄部材６との係合を解除できるように構成されている。
【００３３】
上記各要素は、図４に示すように、少なくとも外側がチタン合金によって形成されるとともに、内部に空間１２を有する中空状に形成されている。
【００３４】
また、図５に示すように、上記要素のうち一つの要素の上記空間１２内に、電子回路基板１３と電池１４とが収容されている。
【００３５】
上記電子回路基板１３には、図６に示すように、異常離脱信号発生手段１５と、位置情報検出手段１６と、受信手段１７と、送信手段１８と、制御手段１９と、身体センサー２０と、身体異常情報発生手段３０とが電子回路の形態で設けられている。
【００３６】
一方、上記回路基板１２には上記電池１４から電力が供給されるとともに、上記回路基板１２が収容された要素２ｃの内壁に接続されたリード線２１と、上記要素２ｃに隣接する要素２ｄの連結部３ｃに接続されたリード線２２とが延出されている。
【００３７】
上記要素２ｃと上記要素２ｄとは、連結部表面に設けられた電気絶縁層２３を介して回動自在に連結されており、チタン合金で形成された各要素が、図６に示すように、一種のループアンテナ２４を構成するように電気的な接続が施されている。
【００３８】
上記異常離脱信号発生手段１５は、鍵を鍵箱１１に挿入して施錠を解除することなく、上記環状体２が身体から離間させられたとき、異常離脱信号を発生するように構成されている。本実施の形態では、上記ループ状に接続された要素に微弱電圧を印加しておき、上記施錠を解除することなく上記環状体が切断された場合に上記電圧が変化することを検出して、上記異常離脱信号を発生するように構成している。
【００３９】
図７に示すように、上記位置情報検出手段１６は、ＧＰＳシステム２５から上記受信手段１７を介して位置情報を取得できるように構成されている。
【００４０】
上記受信手段１７は、ＧＰＳシステム、ＰＨＳシステム等から位置情報を受信できるとともに、無線通信網２６，２７を介してインターネット２８等にも接続できるように構成されており、外部からの情報出力要求も受信できるように構成されている。一方、上記送信手段１８は、上記位置情報等を、インターネットや携帯電話通信網に発信できるように構成されている。
【００４１】
上記制御手段１９は、上記各手段を制御して作動させるとともに、緊急情報等を発信するか否かを判断できるように構成されている。
【００４２】
上記身体センサーは、上記ブレスレットを装着した手首の体温及び脈拍を計測できるように構成されている。
【００４３】
本実施の形態では、上記環状体２が不正に切断された場合、上記異常離脱信号発生手段１５が異常離脱信号を上記制御手段１９に出力する。上記制御手段１９は、上記異常離脱信号が発生した場合、上記位置情報検出手段１６から位置情報を出力させ、上記送信手段１８及びアンテナ２４を介して無線通信網２６に出力する。上記出力情報は、受信基地２７を介してインターネット２８に出力され、あらかじめ設定された報告先２９に伝達される。これにより、ブレスレット１の装着者に何らかの事故が生じたことが即時に伝達される。また、位置情報が合わせて伝達されるため、迅速に対応することができる。なお、環状体２が切断されることにより、アンテナ機能が阻害される可能性があるため、他の要素内に別途に非常用のアンテナを設けることができる。
【００４４】
本実施の形態では、さらに、上記身体センサー２０を設けて、身体に異常が生じた場合にも対応できるように構成している。上記身体センサー２０によって検出された体温や脈拍に異常があった場合、上記身体異常情報発生手段３０が身体異常情報を発生し、上記制御手段１９へ出力する。上記制御手段１９は、位置情報とともに上記身体情報を所定の連絡先に伝達できる。このため、老人等の事故等を未然に防止することも可能となる。また、体温及び脈拍は身体に装着している状態で出力されるため、上記身体センサー２０を用いて、異常離脱信号を発生させることもできる。
【００４５】
図８及び図９に、環状体の他の実施の形態を示す。
【００４６】
本実施の形態に係るブレスレット１０１は、要素１０２の全体をセラミック材料によって形成し、この要素の表面にアンテナとして機能する材料でアンテナパターン２２４を形成したものである。上記構成を採用することにより、人体と絶縁した状態でアンテナを構成することが可能となり、より安定した通信を行うことができる。また、アンテナパターン２２４を表面模様として形成することにより、ブレスレット１のデザインを向上させることもできる。なお、上記アンテナパターン２２４は、要素内部に連通する図示しないスルーホールを介して図示しない回路基板に接続することができる。また、要素の連結部間を電気的に接続してループアンテナを構成することもできる。
【００４７】
本願発明は、上述の実施の形態に限定されることはない。実施の形態では、本願発明をブレスレット１に適用したが、アンクレット、チョーカー等に適用することができる。
【００４８】
また、本願発明を種々の形態の環状体に適用することができる。実施の形態では、ブレスレットを６つの円弧状要素を連結して構成したが、金属等をを編成したものを採用することができる。また、要素の数も限定されることはない。
【００４９】
また、環状体自体あるいは環状体の表面にアンテナを設けたが、環状体の一部又は全部を電波を透過する材料で形成して、小型のアンテナを内蔵するように構成することもできる。たとえば、環状体を複数の要素を連結して構成するとともに、一部の要素をアンテナを埋め込んだ樹脂で形成する一方、他の要素をチタン等で形成することができる。
【００５０】
また、環状体を身体に装着するために着脱機構も実施の形態に限定されることはなく、また、上記鍵を解除する手法も実施の形態に限定されることはない。たとえば、通信機能を利用して外部から解除信号を入力して、鍵を解除するように構成することもできる。
【図面の簡単な説明】
【００５１】
【図１】本願発明を適用したブレスレット型緊急情報発信装置の正面図である。
【図２】図１に示すブレスレット型緊急情報発信装置の連結部の構造を示す側面図である。
【図３】着脱機構の構造を示す断面図である。
【図４】図１におけるIV−IV線に沿う断面図である。
【図５】緊急情報発信装置の内部構造を示す断面図である。
【図６】緊急情報発信装置のシステム構成を示す図である。
【図７】緊急情報の受信及び送信システムの概要を示す図である。
【図８】本願発明の他の実施の形態を示す図である。
【図９】図８におけるIX−IX線に沿う断面図である。
【符号の説明】
【００５２】
１  環状体
１４  電源
１５  異常離脱信号発生手段
１６  位置情報検出手段
１７  受信手段
１８  送信手段
１９  制御手段
【図１】
2006268434.tif 000003
【図２】
2006268434.tif 000004
【図３】
2006268434.tif 000005
【図４】
2006268434.tif 000006
【図５】
2006268434.tif 000007
【図６】
2006268434.tif 000008
【図７】
2006268434.tif 000009
【図８】
2006268434.tif 000010
【図９】
2006268434.tif 000011